(57)【要約】【課題】ディジタルＸ線検出器の患者側表面を冷却するためのより安価で簡便な手法を提供する。【解決手段】ドッキング検出器レセプタクル（２００）が、可搬型ディジタルＸ線検出器（１００）を冷却する装置（５０２）を含む。可搬型ディジタルＸ線検出器とドッキング検出器レセプタクル（２００）との間に通信認証が確立され（７０４）、この認証を用いて可搬型ディジタルＸ線検出器（１００）とドッキング検出器レセプタクル（２００）との間で通信が行なわれる（７０６）。可搬型ディジタルＸ線検出器（１００）が、パネル（１０２）と、少なくとも３枚の分離フォーム層（１０４、１０６及び１０８）と、マザーボード（１１０）と、炭素繊維層（１１４）とを含む。【選択図】図１
2010017547.tif 000002
【特許請求の範囲】
【請求項１】
第一の分離フォーム層（１０４）と、
パネル（１０２）と
第二の分離フォーム層（１０６）と、
炭素繊維層（１１４）と、
第三の分離フォーム層（１０８）と、
前記各分離フォーム層（１０４、１０６及び１０８）、前記パネル及び前記炭素繊維層（１１４）と接触しているケース（１１６）と
を備えた可搬型ディジタルＸ線検出器（１００）。
【請求項２】
前記可搬型ディジタルＸ線検出器（１００）はマザーボード（１１０）をさらに含んでいる、請求項１に記載の装置。
【請求項３】
ドッキング検出器レセプタクル（２００）を制御する方法（７００）であって、
可搬型ディジタルＸ線検出器（１００）と前記ドッキング検出器レセプタクル（２００）との間に認証を確立するステップ（７０４）と、
該認証を用いて前記可搬型ディジタルＸ線検出器（１００）と前記ドッキング検出器レセプタクル（２００）との間で通信するステップ（７０６）と
を備えた方法（７００）。
【請求項４】
前記確立するステップ（７０４）の前に、前記可搬型ディジタルＸ線検出器（１００）が前記ドッキング検出器レセプタクル（２００）にドッキングされているか否かを判定するステップ（７０２）
をさらに含んでいる請求項３に記載の方法。
【請求項５】
波形表面を有する背面（２０２）と、
該背面（２０２）に結合されており、可搬型ディジタルＸ線検出器（１００）が滑り嵌め式で嵌合するような内寸を有するポケット（２０４）と
を備えたドッキング検出器レセプタクル（２００）。
【請求項６】
前記波形表面は襞付き表面（３０２）をさらに含んでいる、請求項５に記載のドッキング検出器レセプタクル。
【請求項７】
前記背面（２０２）は少なくとも１個の電気ファン（４０２）をさらに含んでいる、請求項５に記載のドッキング検出器レセプタクル。
【請求項８】
前記背面（２０２）は少なくとも１個のスペーサ・パッド（４０８）をさらに含んでいる、請求項５に記載のドッキング検出器レセプタクル。
【請求項９】
前記背面（２０２）は少なくとも１個の空気流スロット（５１０）をさらに含んでいる、請求項５に記載のドッキング検出器レセプタクル。
【請求項１０】
前記背面（２０２）は少なくとも１個の熱電制御器（５０２）をさらに含んでいる、請求項５に記載のドッキング検出器レセプタクル。
【発明の詳細な説明】
【技術分野】
【０００１】
本発明は一般的には、医用画像装置の結合に関し、さらに具体的には、ディジタルＸ線検出器用のドッキング・ステーションに関する。
【背景技術】
【０００２】
ディジタルＸ線検出器は、Ｘ線電磁エネルギの電子センサを有する。ディジタルＸ線検出器はしばしば、固体Ｘ線検出器とも呼ばれる。
【０００３】
従来のディジタルＸ線検出器の一形式は、ＦＥＴ（電界効果トランジスタ）のようなスイッチとフォトダイオードのような光検出器とで構成されたピクセルのアレイを含んでおり、ピクセルはアモルファス・シリコンで構築され、上にヨウ化セシウム（ＣｓＩ）が堆積されている。ＣｓＩはＸ線を吸収して光へ変換し、次いでこの光がフォトダイオードによって検出される。フォトダイオードはキャパシタとして動作して電荷を蓄積する。検出器の初期化はＸ線曝射の前に生じ、検出器を「スクラブ」処理する過程で各々のフォトダイオードが既知の電圧まで充電される。次いで、検出器をＸ線に露光すると、Ｘ線がＣｓＩによって吸収される。次いで、Ｘ線束に比例して放出される光がフォトダイオードを部分的に放電させる。曝射の終結の後に、フォトダイオードの電圧が初期電圧まで復元される。フォトダイオードに初期電圧を復元するのに必要とされる電荷の量を測定すると、この量が、曝射長の間にピクセルによって積算されたＸ線量の尺度となる。ピクセル・アレイはフラット・パネルとして配列状に構成されている。
【発明の概要】
【発明が解決しようとする課題】
【０００４】
マザーボードが、パネルからの電荷の読み出しを制御する読み出し電子回路を含んでいる。ディジタルＸ線検出器の主な熱源はマザーボードである。熱は、パネルを含めた全ての電子的設備にとっての損傷要因であり、従って、熱の発散はディジタルＸ線検出器の設計における重要な目標である。加えて、米国食品医薬品局（ＦＤＡ）の安全基準が、患者との接触が意図された医用装置（ディジタルＸ線検出器を含む）の表面の温度を制限している。Ｘ線検出器における従来の熱冷却方法は、液体方式の再循環熱交換器に限られていた。従来の冷却方法は、過度に煩雑であり、液体と電子回路との不適合性のため技術的問題を孕んでおり、また高経費である。従って、ディジタルＸ線検出器の患者側表面を冷却するためのより安価で簡便な手法を提供すると有益である。
【０００５】
さらに、従来のディジタルＸ線検出器は、初期較正時又は保守作業時に検出器診断試験を実行する。ディジタルＸ線検出器の非動作時間に付加的な診断試験を行なうと、ディジタルＸ線検出器が利用可能であり適正に作用していることを保証することができる。
【課題を解決するための手段】
【０００６】
本書では以上に述べた短所、欠点及び問題を扱っており、このことについては以下の明細書を読んで検討することにより理解されよう。
【０００７】
一観点では、ドッキング検出器レセプタクルを制御する方法が、可搬型ディジタルＸ線検出器がドッキング検出器レセプタクルにドッキングされているか否かを判定するステップと、可搬型ディジタルＸ線検出器とドッキング検出器レセプタクルとの間に認証を確立するステップと、この認証を用いて可搬型ディジタルＸ線検出器とドッキング検出器レセプタクルとの間で通信するステップとを含んでいる。
【０００８】
他の観点では、ドッキング検出器レセプタクルが、波形表面を有する背面と、この背面に結合されており、可搬型ディジタルＸ線検出器が滑り嵌め式に嵌合する内寸を有するポケットとを含んでいる。
【０００９】
さらにもう一つの観点では、可搬型ディジタルＸ線検出器が、第一の分離フォーム層と、パネルと、第二の分離フォーム層と、炭素繊維層と、第三の分離フォーム層と、各分離フォーム層、パネル及び炭素繊維層と接触しているケースとを含んでいる。
【００１０】
本書では様々な観点の装置、システム及び方法について説明する。この概要に記載した観点及び利点に加えての他の観点及び利点は、図面を参照して以下の詳細な説明を読むと明らかとなろう。
【図面の簡単な説明】
【００１１】
【図１】６枚の層を含む具現化形態による可搬型ディジタルＸ線検出器の断面ブロック図である。
【図２】一具現化形態によるドッキング検出器レセプタクルの等角ブロック図である。
【図３】拡張表面積を有する具現化形態によるドッキング検出器レセプタクルの等角ブロック図である。
【図４】電気ファン（１又は複数）及び／又はスペーサ・パッド（１又は複数）を有する具現化形態によるドッキング検出器レセプタクルの等角ブロック図である。
【図５】熱電制御器、空気流スロット（１若しくは複数）及び／又は電気ファン（１若しくは複数）を有する具現化形態によるドッキング検出器レセプタクルの等角ブロック図である。
【図６】１又は複数のドッキング検出器レセプタクルを有する実施形態による可動型ディジタルＸ線イメージング・システムの側面図である。
【図７】一具現化形態によるドッキング検出器レセプタクルと可搬型ディジタルＸ線検出器との間の通信の方法の流れ図である。
【発明を実施するための形態】
【００１２】
以下の詳細な説明では、説明の一部を成しており実施され得る特定の具現化形態を例として示す添付図面を参照する。これらの具現化形態は当業者が当該具現化形態を実施することを可能にするように十分に詳細に説明されており、他の具現化形態を利用し得ること、並びに具現化形態の範囲から逸脱することなく論理的変形、機械的変形、電気的変形及び他の変形を施し得ることを理解されたい。従って、以下の詳細な説明は、限定する意味で解釈すべきでない。
【００１３】
この詳細な説明は三節に分かれている。第一節では、各具現化形態の装置について説明する。第二節では、方法の具現化形態について説明する。最後に、第三節では、詳細な説明の結論を掲げる。
装置の具現化形態
この節では、上述のような具現化形態の特定の装置について、一連の図を参照しながら説明する。
【００１４】
図１は可搬型ディジタルＸ線検出器１００の断面ブロック図である。可搬型ディジタルＸ線検出器１００は６枚の層を含んでいる。パネル１０２が、分離フォーム層１０４、１０６及び１０８によって包囲されている。分離フォーム層（１０４、１０６及び１０８）は、パネル１０２をマザーボード１１０の熱から熱的に分離すると共に、パネル１０２を機械的な衝撃損傷から機械的に保護する。分離フォーム層（１０４、１０６及び１０８）はまた、パネル１０２を外光から分離すると共に、ヨウ化セシウム（ＣｓＩ）によって発生されてパネル１０２を通過した光を吸収する。可搬型ディジタルＸ線検出器１００の構造は、熱を背面カバー１１２に発散する。分離フォームの製造者としては、富士高分子工業株式会社（〒１０１−００４４  東京都千代田区鍛冶町１−９−４神田ＫＹＹビル７Ｆ）；Kerafol GmbH（独国Stegenthumbach 4-6, 92676 Eschenbach i.d.Opf.）；及びCorning Incorporated（米国One Riverfront Plaza, Corning, NY 14831）等がある。
【００１５】
パネル１０２及び分離フォーム層（１０４、１０６、１０８）の下層には、パネル支持体として作用する炭素繊維層１１４が存在する。マザーボード１１０は、分離フォーム層１０８によって炭素繊維層１１４から分離されており、炭素繊維層１１４は可搬型ディジタルＸ線検出器１００のケース１１６に直接接触している。結果として、パネル１０２はマザーボード１１０の熱から分離されて、マザーボードの熱の殆どがケース１１６の背面カバー１１２に伝達される。加えて、炭素繊維層１１４へ移行するマザーボードの熱のうち幾分かは、炭素繊維層１１４とケースとの間の接触面積を介してケース１１６に発散される。軽量化するために、ケース１１６は、プラスチック及び／又はカーボン・グラファイトで製造され得る。
【００１６】
構成要素の各々すなわち第一の分離フォーム層１０４、パネル１０２、第二の分離フォーム層１０６、炭素繊維層１１４、第三の分離フォーム層１０８及びマザーボード１１０は幾何学的構成としては矩形であり、第一の面及び第二の面が互いに平行になっている。各々の構成要素の第一及び第二の面は、構成要素の６面の他のいずれの面よりも表面積が大きい。
【００１７】
可搬型ディジタルＸ線検出器１００は如何なる特定のパネル１０２、分離フォーム層１０４、１０６、１０８、マザーボード１１０、背面カバー１１２、炭素繊維層１１４及びケース１１６にも限定されていないが、分かり易くするために、単純化したパネル１０２、分離フォーム層１０４、１０６、１０８、マザーボード１１０、背面カバー１１２、炭素繊維層１１４及びケース１１６について説明する。パネル１０２の第一の面は第一の分離フォーム層１０４の第二の面と直接接触しており、第二の分離フォーム層１０６の第一の面はパネル１０２の第二の面と直接接触しており、炭素繊維層１１４の第一の面は第二の分離フォーム層１０６と直接接触しており、第三の分離フォーム層１０８の第一の面は炭素繊維層１１４の第一の面と直接接触している。
【００１８】
図２は、一具現化形態によるドッキング検出器レセプタクル２００の等角ブロック図である。装置２００は、可搬型ディジタルＸ線検出器がレセプタクルに置かれているときに画像の取得と取得との間に可搬型ディジタルＸ線検出器の背面カバーから熱を発散するのを助ける。
【００１９】
装置２００は、背面２０２及びポケット２０４を含んでいる。可搬型ディジタルＸ線検出器１００のような可搬型ディジタルＸ線検出器は、当該可搬型ディジタルＸ線検出器がポケット２０４に滑り嵌め式で嵌合することを可能にする寸法及び／又は装置を有し、すると、可搬型ディジタルＸ線検出器の背面カバーがドッキング検出器レセプタクル２００の背面２０２と直接接触する。可搬型ディジタルＸ線検出器の背面カバーとドッキング検出器レセプタクル２００の背面２０２との間の直接接触は、可搬型ディジタルＸ線検出器の背面カバーからの熱をドッキング検出器レセプタクル２００の背面２０２に発散するのを助け、このようにして、ドッキング検出器レセプタクル２００の背面２０２は可搬型ディジタルＸ線検出器の背面カバーの熱のためのヒート・シンクとして作用する。
【００２０】
ドッキング検出器レセプタクル２００は、可搬型ディジタルＸ線検出器がポケット２０４に垂直に挿入されるようにドッキング・ポケット２０４に対して下向き２０６の配向に設置されることができ、重力によって可搬型ディジタルＸ線検出器をポケット２０４に保持するように、ドッキング検出器レセプタクル２００の背面２０２に接触させて可搬型ディジタルＸ線検出器の背面カバー１１２を載置する。他の配向での他の設置を具現化することもでき、この場合には装置（図示されていない）が可搬型ディジタルＸ線検出器をポケット２０４に保持するのを助ける。
【００２１】
ドッキング検出器レセプタクル２００は、可動型医用撮像ユニットの内部に設置され又は表面に装着され得る。可動型医用撮像ユニットの一例を図６に示している。典型的には、医用撮像技師が可動型撮像ユニットを病室から病室へ移動させる。
【００２２】
典型的な用法及び動作では、可搬型ディジタルＸ線検出器１００のような可搬型ディジタルＸ線検出器は、時間の殆どにわたってドッキング検出器レセプタクル２００のようなドッキング検出器レセプタクルに合体させられている。可搬型ディジタルＸ線検出器を用いて画像を取得するときに、可搬型ディジタルＸ線検出器はレセプタクルから取り外される。可搬型ディジタルＸ線検出器がドッキング検出器レセプタクルに合体させられているときには、可搬型ディジタルＸ線検出器からの熱は可搬型ディジタルＸ線検出器の背面カバー１１２へ伝達され、ドッキング検出器レセプタクルまで伝達される。このようにして、可搬型ディジタルＸ線検出器の非利用時間に可搬型ディジタルＸ線検出器をドッキング検出器レセプタクルに合体させると、可搬型ディジタルＸ線検出器が撮像に用いられていない長い時間にわたって可搬型ディジタルＸ線検出器を冷却する効果がある。ドッキング検出器レセプタクル２００によって提供される熱管理であれば、ドッキング検出器レセプタクル２００の患者側接触面を冷却する時間が相対的に少なくて済み、このようにして患者スループットを高め、患者及びドッキング検出器レセプタクル２００の操作者の双方への利益がある。
【００２３】
図３は、拡張表面積を有する具現化形態によるドッキング検出器レセプタクル３００の等角ブロック図である。装置３００は、可搬型ディジタルＸ線検出器に対する冷却を提供する。
【００２４】
検出器レセプタクル上部拡散性能の熱輻射効率を高めるために、レセプタクルの背面２０２がヘッダと同様の相対的に大きい表面積を有するように作製することができる。図３の例では、拡張表面積は、襞付き表面又は他の波形表面によって達成されている。背面２０２の襞付き表面は、多数の肋材３０２を含んでいる。
【００２５】
図４は、電気ファン（１又は複数）及び／又はスペーサ・パッド（１又は複数）を有する具現化形態によるドッキング検出器レセプタクル４００の等角ブロック図である。装置４００は、可搬型ディジタルＸ線検出器に対する冷却を提供する。
【００２６】
ドッキング検出器レセプタクル４００は、１又は複数の電気ファン（４０２、４０４及び／又は４０６）を含み得る。また、ドッキング検出器レセプタクル４００は、１又は複数のスペーサ・パッド（４０８、４１０、４１２及び／又は４１４）を含み得る。スペーサ・パッド（１又は複数）（４０８、４１０、４１２及び／又は４１４）は、ドッキング検出器レセプタクル４００の背面２０２側に設けられ、可搬型ディジタルＸ線検出器１００の背面カバー１１２の殆どとドッキング検出器レセプタクル４００の背面２０２との間の接触を防ぐ局所的な浮彫り状の突起域であり、このようにして、空気がドッキング検出器レセプタクル４００のポケット２０４に置かれている可搬型ディジタルＸ線検出器１００の背面カバー１１２の間を流動し得るようにする間隙を設けている。空気流はドッキング検出器レセプタクル４００の背面カバー１１２に直接吹き付けて、ドッキング検出器レセプタクル４００から熱を除去する。可搬型ディジタルＸ線検出器１００がドッキング検出器レセプタクル４００のポケット２０４に置かれているときには、空気流は可搬型ディジタルＸ線検出器１００の背面カバー１１２に直接吹き付けて可搬型ディジタルＸ線検出器の背面カバー１１２から熱を除去する。
【００２７】
図４に示す電気ファン（４０２、４０４及び／又は４０６）の位置、大きさ及び数は例示に過ぎない。電気ファン（４０２、４０４及び／又は４０６）の他の位置、大きさ及び量が可能である。幾つかの具現化形態では、電気ファン（１又は複数）は磁気軸受電気ファン（１又は複数）である。
【００２８】
ドッキング検出器レセプタクル４００の幾つかの具現化形態では、スイッチ（図示されていない）がポケット２０４に組み込まれており、可搬型ディジタルＸ線検出器がポケット２０４から取り外されたときにファン（４０２、４０４及び／又は４０６）が動作を停止するようにしている。
【００２９】
図５は、熱電制御器、空気流スロット（１若しくは複数）及び／又は電気ファン（１若しくは複数）を有する具現化形態によるドッキング検出器レセプタクル５００の等角ブロック図である。装置５００は、可搬型ディジタルＸ線検出器に対する冷却を提供する。
【００３０】
ドッキング検出器レセプタクル５００の幾つかの具現化形態は、１若しくは複数の熱電冷却器（ＴＥＣ）式放熱板５０２、又はペルチエ熱電制御器、ゼーベック熱電制御器、トムソン熱電制御器若しくはペルチエ−ゼーベック熱電制御器のような他の形式の熱電制御器を含む。可搬型ディジタルＸ線検出器１００がドッキング検出器レセプタクル５００のポケット２０４に挿入されると、可搬型ディジタルＸ線検出器１００の背面カバー１１２がドッキング検出器レセプタクル５００のＴＥＣ放熱板（１又は複数）５０２に接触する。可搬型ディジタルＸ線検出器は、非動作（検査間）時間に、ＴＥＣ放熱板（１又は複数）５０２によって背面カバー１１２を介して伝導型、輻射型及び対流型の熱伝達において冷却される。幾つかの具現化形態では、ＴＥＣ放熱板（１又は複数）５０２は、可搬型ディジタルＸ線検出器において相対的な「ホット・スポット」になると予期される可搬型ディジタルＸ線検出器の区域の対向位置に配置される。ＴＥＣ放熱板（１又は複数）５０２は、ＰＮＰバイポーラ接合トランジスタ（１又は複数）を含み得る。
【００３１】
幾つかの具現化形態では、ＴＥＣ放熱板（１又は複数）５０２は、ＴＥＣ放熱板アセンブリ５０４に装着される。ＴＥＣ放熱板アセンブリ５０４はドッキング検出器レセプタクル５００に結合されて動作し、またＴＥＣ放熱板アセンブリ５０４をドッキング検出器レセプタクル５００に結合して動作させる部品リード５０６を含んでいる。ＴＥＣ放熱板アセンブリ５０４の幾つかの具現化形態はまた、ドッキング検出器レセプタクル５００のポケット２０４における可搬型ディジタルＸ線検出器の存在時又は不在時に切り替えられるスイッチ５０８を含んでいる。
【００３２】
図５に示すＴＥＣ放熱板（１又は複数）５０２の位置、大きさ及び数は例示に過ぎない。ＴＥＣ放熱板（１又は複数）５０２の他の位置、大きさ及び量が可能である。
【００３３】
ドッキング検出器レセプタクル５００の幾つかの具現化形態は、１又は複数の空気流スロットを含んでいる。空気流スロット５１０は、空気流スロット（１又は複数）の一例である。空気流スロットは、可搬型ディジタルＸ線検出器がドッキング検出器レセプタクル５００のポケット２０４に挿入されているときに、相対的に温かい空気が空気流スロットから流出することを許し、且つ／又は相対的に冷たい空気が空気流スロットに流入することを許すようなドッキング検出器レセプタクル５００の背面に設けられた陥没域であり、このようにして可搬型ディジタルＸ線検出器の背面カバーに冷却を提供する。可搬型ディジタルＸ線検出器１００が空気流スロット（１又は複数）を有するドッキング検出器レセプタクル５００のポケット２０４に挿入されているときには、可搬型ディジタルＸ線検出器は、非動作（検査間）時間に、背面カバー１１２を介して伝導型、輻射型及び対流型の熱伝達において冷却される。幾つかの具現化形態では、空気流スロット（１又は複数）は、可搬型ディジタルＸ線検出器において相対的な「ホット・スポット」になると予期される可搬型ディジタルＸ線検出器の区域の対向位置に配置される。
【００３４】
図５に示す空気流スロット（１又は複数）の位置、大きさ及び数は例示に過ぎない。空気流スロット（１又は複数）の他の位置、大きさ及び量が可能である。
【００３５】
ドッキング検出器レセプタクル４００と同様に、ドッキング検出器レセプタクル５００は１又は複数の電気ファン（４０２及び／又は４０４）を含み得る。
【００３６】
ドッキング検出器レセプタクル５００の幾つかの具現化形態は、電気インタフェイス５１２を含んでいる。電気インタフェイス５１２はドッキング検出器レセプタクル５００を可搬型ディジタルＸ線検出器に電気結合し且つ通信結合するように動作することが可能である。図５に示すような幾つかの具現化形態では、電気インタフェイス５１２は、ポケット２０４の内部に配置されて、可搬型ディジタルＸ線検出器（図示されていない）の外部に配置された電気インタフェイスに物理的に且つ電気的に結合するように配置される。可搬型ディジタルＸ線検出器の外部の電気インタフェイスは、可搬型ディジタルＸ線検出器の内蔵バッテリに電気結合し且つ通信結合される。可搬型ディジタルＸ線検出器がドッキング検出器レセプタクル５００のポケット２０４に載置されると、ポケット２０４の内部の電気インタフェイス５１２が、可搬型ディジタルＸ線検出器の外部に設けられている電気インタフェイスを介して可搬型ディジタルＸ線検出器の内蔵バッテリに電力を供給する。このように、可搬型ディジタルＸ線検出器の内蔵バッテリは、可搬型ディジタルＸ線検出器がドッキング検出器レセプタクル５００のポケット２０４に置かれているときに、可搬型ディジタルＸ線検出器の動作の非動作時間に再充電され得る。
【００３７】
他の具現化形態では、電気インタフェイス５１２はまた、可搬型ディジタルＸ線検出器への通信リンクを提供する。通信は、可搬型ディジタルＸ線検出器の状態についての診断試験情報を含み得る。診断試験情報は、可搬型ディジタルＸ線検出器が利用されているときに可搬型ディジタルＸ線検出器の動作時に可搬型ディジタルＸ線検出器のプロセッサによって収集されてもよいし、且つ／又は診断試験情報は、可搬型ディジタルＸ線検出器がポケット２０４に置かれているときに可搬型ディジタルＸ線検出器のプロセッサによって収集されてもよいし、且つ／又は診断試験情報は、可搬型ディジタルＸ線検出器がポケット２０４に置かれているときに可搬型ディジタルＸ線検出器の外部のプロセッサによって収集されてもよい。外部のプロセッサは、ドッキング検出器レセプタクル５００に配置されていてもよいし、ドッキング検出器レセプタクル５００に電気結合されて通信結合される他の装置に配置されていてもよい。
【００３８】
ドッキング検出器レセプタクル５００は、検出器の内蔵バッテリを再充電して、適正な検出器動作を検証する一般的な診断試験を実行しつつ、同時に臨床での利用と利用との間に外部の検出器表面を熱的に冷却する能力を提供する可搬型無線Ｘ線検出器のための多目的ドッキング・レセプタクルを提供する。
【００３９】
第一の分離フォーム層１０４、パネル１０２、第二の分離フォーム層１０６、炭素繊維層１１４、第三の分離フォーム層１０８、及びマザーボード１１０の各構成要素から成る輻射型冷却板アセンブリに、隠されて設けられた磁気軸受ファン４０２、４０４及び／又は４０６を併せ備えた熱電制御器装置５０２を用いると、可搬型無線式ディジタルＸ線検出器の外面からかなりの熱負荷を除去することができる。加えて、可搬型ディジタルＸ線検出器は、ドッキング検出器レセプタクル２００、３００、４００及び／又は５００に日常作業としてドッキングされて、定期的な再充電動作及びデータ再同期動作を行なってもよい。電気インタフェイス５１２を有するドッキング検出器レセプタクル及び可搬型無線式ディジタルＸ線検出器の組み合わせは、適正な検出器動作を常時保証する診断試験能力を提供しつつ、同時にバッテリ充電能力を提供することができる。
【００４０】
加えて、非動作（又は検査間）時間に用いられるドッキング検出器レセプタクル２００、３００、４００及び／又は５００は、付加的な熱伝達を提供し、可搬型ディジタルＸ線検出器の外面温度を製造者の上限未満に低下させる。また、非動作時間に一般的な診断試験を実行すると、可搬型ディジタルＸ線検出器が適正な動作状態にあるとの操作者信頼性を高める。反対に、これらの試験はまた、可搬型ディジタルＸ線検出器が動作に復帰して患者が不必要に曝射される前に、操作者に対し問題を警告する。加えて、可搬型ディジタルＸ線検出器の冷却と同時にバッテリを再充電することも有益である。
【００４１】
図６は、１又は複数のドッキング検出器レセプタクルを有する実施形態による可動型ディジタルＸ線イメージング・システム６００の側面図である。可動型ディジタルＸ線イメージング・システム６００は、水平アーム６０４の端部に装着されたＸ線源６０２を含んでいる。Ｘ線源６０２は、患者の関心区域にわたって配置自在である。Ｘ線源６０２は典型的には、遊動環（ジンバル）形式の構成を介して装着されており、患者のＸ線画像を撮影するために、支柱６０６が回転してＸ線源を可動型Ｘ線ユニット本体６０８の停止位置から適当な位置まで移動させる。
【００４２】
可動型ディジタルＸ線イメージング・システム６００はまた、１又は複数の網アダプタ６１２を含んでいる。これら複数の網アダプタ６１２の２個の網アダプタを図６に示しているが、任意の数の網アダプタを具現化することができる。２個以上の網アダプタ６１２が含まれている具現化形態では、これらの網アダプタ６１２の１個を用いて外部のディジタルＸ線検出器と接続する。他の付加的な網アダプタ６１２の１個は、可動型ディジタルＸ線イメージング・システム６００からの画像を表示するように動作可能な電子システムへのインタフェイスとして用いられる。網アダプタ６１２の少なくとも１個は、イーサネット（商標）・アダプタのような従来の網アダプタである。
【００４３】
可動型ディジタルＸ線イメージング・システム６００はまた、図６に示すドッキング検出器レセプタクル４００のような１又は複数のドッキング検出器レセプタクル４００を含んでいる。図６では、ドッキング検出器レセプタクルは、可動型ディジタルＸ線イメージング・システム６００の背面等のような可動型ディジタルＸ線イメージング・システム６００の面に装着され得る。
【００４４】
可動型ディジタルＸ線イメージング・システム６００の網アダプタ６１０は、有線式及び／又は無線式の通信リンク（図示されていない）を介してドッキング検出器レセプタクルに結合して動作することが可能である。通信リンクは、ドッキング検出器レセプタクルと、可動型ディジタルＸ線イメージング・システム６００からの画像を表示するように動作可能な可動型ディジタルＸ線イメージング・システム６００の電子システムとの間の通信経路を提供する。このように、可搬型ディジタルＸ線検出器からの診断試験情報は、可搬型ディジタルＸ線検出器がドッキング検出器レセプタクル４００のポケット２０４にドッキングされているときに、可搬型ディジタルＸ線検出器から、電気インタフェイス５１２のようなドッキング検出器レセプタクル４００の電気インタフェイスを介して、画像を表示するように動作可能な電子システムへ送信され得る。
【００４５】
幾つかの具現化形態では、可動型Ｘ線ユニット本体６０８及びディジタルＸ線検出器１００の両方が網アダプタを有する。この場合には、可動型Ｘ線ユニット本体６０８及びディジタルＸ線検出器１００の両方が別々の網ジャックに結合されて動作可能である。かかる例の幾つかの具現化形態では、可動型Ｘ線ユニット本体６０８は１個の網アダプタのみを含んでいる。
【００４６】
代替的な具現化形態では、可動型ディジタルＸ線イメージング・システム６００は、可動型ディジタルＸ線イメージング・システム６００からの画像を表示するように動作可能な電子システムに連絡する１個のみの網アダプタを含んでいる。
【００４７】
可動型ディジタルＸ線イメージング・システム６００は、有線式イーサネット（商標）・コネクタ用の網アダプタを示している。しかしながら、可動型ディジタルＸ線イメージング・システム２００を網に結合し又は接続する無線式（例えば赤外線又はラジオ波）のような有線以外の媒体を具現化してもよい。
方法の具現化形態
前節では、一具現化形態の動作の装置について説明した。本節では、かかる具現化形態の特定の方法について一連の流れ図を参照して説明する。
【００４８】
図７は、一具現化形態によるドッキング検出器レセプタクルと可搬型ディジタルＸ線検出器との間の通信の方法７００の流れ図である。方法７００は、ドッキング検出器レセプタクルと可搬型ディジタルＸ線検出器との間で伝送される守秘情報に対する保護を提供する。
【００４９】
方法７００は、ブロック７０２においてドッキング検出器レセプタクルのポケットに可搬型ディジタルＸ線検出器を載置するステップを含んでいる。
【００５０】
可搬型ディジタルＸ線検出器がドッキング検出器レセプタクルのポケットにドッキングされていると判定された後に、方法７００はまた、ブロック７０４において可搬型ディジタルＸ線検出器とドッキング検出器レセプタクルとの間に認証を確立するステップを含んでいる。認証は、暗号キー及び／又は乱数型無線用サービス・セット識別子（ＳＳＩＤ）を含み得る。ＳＳＩＤは３２文字の一意の識別子であって、可搬型ディジタルＸ線検出器とドッキング検出器との間の無線通信リンクを介して送られるパケットのヘッダに添付される。ＳＳＩＤは、可搬型ディジタルＸ線検出器がドッキング検出器レセプタクル又は他のベース・ステーションに接続しているときにはパスワードとして作用する。ＳＳＩＤは、一つの無線通信リンクを他の通信リンクから区別するものであり、従って、全てのアクセス・ポイント、及び特定の無線通信リンクに接続することを試みる全ての装置が同じＳＳＩＤを用いなければならない。可搬型ディジタルＸ線検出器は、可搬型ディジタルＸ線検出器が固有のＳＳＩＤを提供し得ない限り可搬型ディジタルＸ線検出器及びドッキング検出器に対する無線通信リンクを許可されない。ＳＳＩＤはパケットからプレーン・テキストとして探り当てられる場合があるため、ＳＳＩＤは無線通信リンクには何ら保護を提供しない。
【００５１】
方法７００はまた、ブロック７０６において認証を用いた可搬型ディジタルＸ線検出器とドッキング検出器レセプタクルとの間の通信を含んでいる。幾つかの具現化形態では、通信は、可搬型ディジタルＸ線検出器の状態についての診断試験情報を含み得る。通信が診断情報を含んでいる具現化形態では、診断情報は可搬型ディジタルＸ線検出器がドッキング検出器レセプタクルのポケットに載置される前及び／又は後に実行される可搬型ディジタルＸ線検出器に対する診断試験から出力され、この場合には、通信は可搬型ディジタルＸ線検出器からドッキング検出器レセプタクルへ診断試験情報を送ることを含んでいる。
結論
ドッキング検出器レセプタクル及び新たな可搬型ディジタルＸ線検出器について説明した。本書では特定の具現化形態を図示して説明したが、当業者は、同じ目的を達成するために考案された任意の構成を図示の特定の具現化形態に代えて置換し得ることを認められよう。本出願は、あらゆる適応構成又は変形を網羅するものとする。例えば、手続き型観点で記載したが、当業者は所要の作用を提供する他の任意の観点において具現化形態を形成し得ることを認められよう。
【００５２】
具体的には、当業者は、方法及び装置の名称が具現化形態を限定するものではないことを容易に認められよう。さらに、具現化形態の範囲から逸脱せずに、付加的な方法及び装置を各構成要素に追加したり、構成要素間で作用を再構成したり、将来の機能拡張や具現化形態に用いられている物理的装置に対応する新たな構成要素を導入したりすることができる。当業者は、各具現化形態が将来の、異なる及び新たなドッキング検出器レセプタクル及び可搬型ディジタルＸ線検出器に応用可能であることを容易に認められよう。
【００５３】
本出願で用いられた用語は、全てのドッキング検出器レセプタクル及び可搬型ディジタルＸ線検出器環境を包含すると共に、本書に記載しているものと同じ作用を提供する代替技術を包含するものとする。
【符号の説明】
【００５４】
１００  可搬型ディジタルＸ線検出器
１０２  パネル
１０４  第一の分離フォーム層
１０６  第二の分離フォーム層
１０８  第三の分離フォーム層
１１０  マザーボード
１１２  背面カバー
１１４  炭素繊維層
１１６  ケース
２００、３００、４００、５００  ドッキング検出器レセプタクル
２０２  背面
２０４  ポケット
２０６  配向
３０２  襞付き表面
４０２、４０４、４０６  電気ファン
４０８、４１０、４１２、４１４  スペーサ・パッド
５０２  熱電冷却器（ＴＥＣ）式放熱板
５０４  ＴＥＣ放熱板アセンブリ
５０６  部品リード
５１０  空気流スロット
５１２  電気インタフェイス
６００  可動型ディジタルＸ線イメージング・システム
６０２  Ｘ線源
６０４  水平アーム
６０６  支柱
６０８  可動型Ｘ線ユニット本体
６１０、６１２  網アダプタ
【図１】
2010017547.tif 000003
【図２】
2010017547.tif 000004
【図３】
2010017547.tif 000005
【図４】
2010017547.tif 000006
【図５】
2010017547.tif 000007
【図６】
2010017547.tif 000008
【図７】
2010017547.tif 000009